(57)【特許請求の範囲】
【請求項１】
基部と、この基部の上方に設けられる送風部と、この送風部を前記基部に対して水平方向に相対的に回転又は回動させる移動機構とを有する送風装置において、
前記基部に、前記送風部の下端部を囲むように、前記送風部の送風方向範囲を指定する指定手段が環状又は弧状に設けられ、
前記基部に、前記指定手段によって指定された範囲を表示する表示手段が、前記指定手段の全周に沿って設けられることを特徴とする送風装置。
【請求項２】
基部と、この基部の上方に設けられる支柱部と、この支柱部の上端部に設けられる送風部と、この送風部を前記基部に対して水平方向に相対的に回転又は回動させる移動機構とを有する送風装置において、
前記基部に、前記支柱部の下端部を囲むように、前記送風部の送風方向範囲を指定する指定手段が環状又は弧状に設けられ、
前記基部に、前記指定手段によって指定された範囲を表示する表示手段が、前記指定手段の全周に沿って設けられることを特徴とする送風装置。
【請求項３】
前記指定手段が、前記送風部の回転中心又は回動中心と同心状に配列されることを特徴とする請求項１又は２記載の送風装置。
【請求項４】
前記指定手段が、前記基部の上面に設けられることを特徴とする請求項１又は２記載の送風装置。
【請求項５】
前記送風部の移動速度が、指定範囲よりも非指定範囲で高速となるように制御されることを特徴とする請求項１又は２記載の送風装置。
【請求項６】
基部と、この基部の上方に設けられる送風部とを有する送風装置において、
前記基部に、前記送風部の下端部を囲むように、電源のオン・オフを切換える電源スイッチが環状又は弧状に設けられ、
前記基部に、前記電源の状態を表示する表示手段が、前記電源スイッチの全周に沿って設けられることを特徴とする送風装置。
【請求項７】
基部と、この基部の上方に設けられる支柱部と、この支柱部の上端部に設けられる送風部とを有する送風装置において、
前記基部に、前記支柱部の下端部を囲むように、電源のオン・オフを切換える電源スイッチが環状又は弧状に設けられ、
前記基部に、前記電源の状態を表示する表示手段が、前記電源スイッチの全周に沿って設けられることを特徴とする送風装置。
【請求項８】
基部と、この基部の上方に設けられる送風部とを有する送風装置において、
前記基部に、前記送風部の下端部を囲むように、風量を調節する調節手段が環状又は弧状に設けられ、
前記基部に、前記風量の状態を表示する表示手段が、前記調節手段の全周に沿って設けられることを特徴とする送風装置。
【請求項９】
基部と、この基部の上方に設けられる支柱部と、この支柱部の上端部に設けられる送風部とを有する送風装置において、
前記基部に、前記支柱部の下端部を囲むように、風量を調節する調節手段が環状又は弧状に設けられ、
前記基部に、前記風量の状態を表示する表示手段が、前記調節手段の全周に沿って設けられることを特徴とする送風装置。
【請求項１０】
無線式の遠隔操作手段をさらに有し、
前記基部に、前記送風部の下端部を囲むように、前記遠隔操作手段のための受光部が環状又は弧状に設けられることを特徴とする請求項１、６、８の何れか一つに記載の送風装置。
【請求項１１】
無線式の遠隔操作手段をさらに有し、
前記基部に、前記支柱部の下端部を囲むように、前記遠隔操作手段のための受光部が環状又は弧状に設けられることを特徴とする請求項２、７、９の何れか一つに記載の送風装置。
【請求項１２】
前記指定手段が環状に構成されると共に、
前記基部に、前記送風部の下端部を囲むように、電源のオン・オフを切換える電源スイッチと、風量を調節する調節手段がそれぞれ環状に設けられ、
前記指定手段、電源スイッチ及び調節手段が前記送風部を中心として同心状に配置されることを特徴とする請求項１記載の送風装置。
【請求項１３】
前記指定手段が環状に構成されると共に、
前記基部に、前記支柱部の下端部を囲むように、電源のオン・オフを切換える電源スイッチと、風量を調節する調節手段がそれぞれ環状に設けられ、
前記指定手段、電源スイッチ及び調節手段が前記支柱部を中心として同心状に配置されることを特徴とする請求項２記載の送風装置。
【請求項１４】
前記指定手段が環状に構成されると共に、
無線式の遠隔操作手段をさらに有し、
前記基部に、前記送風部の下端部を囲むように、電源のオン・オフを切換える電源スイッチと、風量を調節する調節手段と、前記遠隔操作手段のための受光部がそれぞれ環状に設けられ、
前記受光部、指定手段、電源スイッチ及び調節手段が前記送風部を中心として同心状に配置されることを特徴とする請求項１記載の送風装置。
【請求項１５】
前記指定手段が環状に構成されると共に、
無線式の遠隔操作手段をさらに有し、
前記基部に、前記支柱部の下端部を囲むように、電源のオン・オフを切換える電源スイッチと、風量を調節する調節手段と、前記遠隔操作手段のための受光部がそれぞれ環状に設けられ、
前記受光部、指定手段、電源スイッチ及び調節手段が前記支柱部を中心として同心状に配置されることを特徴とする請求項２記載の送風装置。
【発明の詳細な説明】
【技術分野】
【０００１】
本発明は、扇風機やサーキュレータ等の送風装置に関するものである。
【背景技術】
【０００２】
従来、この種の送風装置としては、床に載置される基部としての基台と、基台の上方に設けられる支柱部と、支柱部の上端部に設けられ、送風用のファンを有する送風部と、送風部を左右水平方向に首振りさせる移動機構としての左右首振り機構とを有し、基台の上面に設けた操作パネルのスイッチ操作により、電源のオン・オフ切換えや、左右首振りモードのオン・オフ切換え及び首振り角度の選択や、送風部からの風量レベルの切換えを行う扇風機が知られている（例えば、特許文献１参照）。
【０００３】
また、別な特許文献２には、基部や支柱部や送風部を備えた扇風機本体と、遠隔操作手段となるリモコンとを備え、リモコンからの無線信号を基部に設けた受光部に導いて、扇風機本体を遠隔操作する扇風機が開示されている。
【先行技術文献】
【特許文献】
【０００４】
【特許文献１】特開２０１４−１６３３５１号公報
【特許文献２】特開２００１−２０７９９３号公報
【発明の概要】
【発明が解決しようとする課題】
【０００５】
しかしながら、このような送風装置においては、操作パネルに配置された押しボタン式のスイッチによって、送風部の首振り範囲を別な角度に切換えることができるが、単なるスイッチの押動操作では、使用者が送風したい範囲を直感的に理解できない。
【０００６】
また、電源のオン・オフを切換える電源スイッチや、送風部からの風量を調節する風量スイッチは、基部の前方側に設けた操作パネル内にそれぞれ配置されており、例えば送風装置本体の側部や後部から、これらのスイッチを押動操作するのが難しい。同様に、受光部も基部の前方側に設けられているので、リモコンによりどの方向からも遠隔操作をするのが難しい。
【０００７】
本発明は以上の問題点を解決し、送風部の可動範囲内において、送風したい範囲を直感的に分かりやすく指定できる送風装置を提供することを目的とする。
【０００８】
また本発明の目的は、送風装置のどの方向からでも、電源スイッチを操作したり、風量を調節したり、遠隔操作を行ったりすることが可能な送風装置を提供することにある。
【課題を解決するための手段】
【０００９】
本発明の請求項１に記載の送風装置は、基部と、この基部の上方に設けられる送風部と、この送風部を前記基部に対して水平方向に相対的に回転又は回動させる移動機構とを有する送風装置において、前記基部に、前記送風部の下端部を囲むように、前記送風部の送風方向範囲を指定する指定手段が環状又は弧状に設けられ、前記基部に、前記指定手段によって指定された範囲を表示する表示手段が、前記指定手段の全周に沿って設けられるものである。
【００１０】
また、本発明の請求項２に記載の送風装置は、基部と、この基部の上方に設けられる支柱部と、この支柱部の上端部に設けられる送風部と、この送風部を前記基部に対して水平方向に相対的に回転又は回動させる移動機構とを有する送風装置において、前記基部に、前記支柱部の下端部を囲むように、前記送風部の送風方向範囲を指定する指定手段が環状又は弧状に設けられ、前記基部に、前記指定手段によって指定された範囲を表示する表示手段が、前記指定手段の全周に沿って設けられるものである。
【００１１】
また、本発明の請求項３に記載の送風装置は、請求項１又は２において、前記指定手段が、前記送風部の回転中心又は回動中心と同心状に配列されるものである。
【００１２】
また、本発明の請求項４に記載の送風装置は、請求項１又は２において、前記指定手段が、前記基部の上面に設けられるものである。
【００１３】
また、本発明の請求項５に記載の送風装置は、請求項１又は２において、前記送風部の移動速度が、指定範囲よりも非指定範囲で高速となるように制御されるものである。
【００１４】
また、本発明の請求項６に記載の送風装置は、基部と、この基部の上方に設けられる送風部とを有する送風装置において、前記基部に、前記送風部の下端部を囲むように、電源のオン・オフを切換える電源スイッチが環状又は弧状に設けられ、前記基部に、前記電源の状態を表示する表示手段が、前記電源スイッチの全周に沿って設けられるものである。
【００１５】
また、本発明の請求項７に記載の送風装置は、基部と、この基部の上方に設けられる支柱部と、この支柱部の上端部に設けられる送風部とを有する送風装置において、前記基部に、前記支柱部の下端部を囲むように、電源のオン・オフを切換える電源スイッチが環状又は弧状に設けられ、前記基部に、前記電源の状態を表示する表示手段が、前記電源スイッチの全周に沿って設けられるものである。
【００１６】
また、本発明の請求項８に記載の送風装置は、基部と、この基部の上方に設けられる送風部とを有する送風装置において、前記基部に、前記送風部の下端部を囲むように、風量を調節する調節手段が環状又は弧状に設けられ、前記基部に、前記風量の状態を表示する表示手段が、前記調節手段の全周に沿って設けられるものである。
【００１７】
また、本発明の請求項９に記載の送風装置は、基部と、この基部の上方に設けられる支柱部と、この支柱部の上端部に設けられる送風部とを有する送風装置において、前記基部に、前記支柱部の下端部を囲むように、風量を調節する調節手段が環状又は弧状に設けられ、前記基部に、前記風量の状態を表示する表示手段が、前記調節手段の全周に沿って設けられるものである。
【００１８】
また、本発明の請求項１０に記載の送風装置は、請求項１、６、８の何れか一つにおいて、無線式の遠隔操作手段をさらに有し、前記基部に、前記送風部の下端部を囲むように、前記遠隔操作手段のための受光部が環状又は弧状に設けられるものである。
【００１９】
また、本発明の請求項１１に記載の送風装置は、請求項２、７、９の何れか一つにおいて、無線式の遠隔操作手段をさらに有し、前記基部に、前記支柱部の下端部を囲むように、前記遠隔操作手段のための受光部が環状又は弧状に設けられるものである。
【００２０】
また、本発明の請求項１２に記載の送風装置は、請求項１において、前記指定手段が環状に構成されると共に、前記基部に、前記送風部の下端部を囲むように、電源のオン・オフを切換える電源スイッチと、風量を調節する調節手段がそれぞれ環状に設けられ、前記指定手段、電源スイッチ及び調節手段が前記送風部を中心として同心状に配置されるものである。
【００２１】
また、本発明の請求項１３に記載の送風装置は、請求項２において、前記指定手段が環状に構成されると共に、前記基部に、前記送風部の下端部を囲むように、電源のオン・オフを切換える電源スイッチと、風量を調節する調節手段がそれぞれ環状に設けられ、前記指定手段、電源スイッチ及び調節手段が前記支柱部を中心として同心状に配置されるものである。
【００２２】
また、本発明の請求項１４に記載の送風装置は、請求項１において、前記指定手段が環状に構成されると共に、無線式の遠隔操作手段をさらに有し、前記基部に、前記送風部の下端部を囲むように、電源のオン・オフを切換える電源スイッチと、風量を調節する調節手段と、前記遠隔操作手段のための受光部がそれぞれ環状に設けられ、前記受光部、指定手段、電源スイッチ及び調節手段が前記送風部を中心として同心状に配置されるものである。
【００２３】
更に、本発明の請求項１５に記載の送風装置は、請求項２において、前記指定手段が環状に構成されると共に、無線式の遠隔操作手段をさらに有し、
前記基部に、前記支柱部の下端部を囲むように、電源のオン・オフを切換える電源スイッチと、風量を調節する調節手段と、前記遠隔操作手段のための受光部がそれぞれ環状に設けられ、前記受光部、指定手段、電源スイッチ及び調節手段が前記支柱部を中心として同心状に配置されるものである。
【発明の効果】
【００２４】
本発明の請求項１に記載の送風装置は、以上のように構成することにより、送風部の可動範囲内において、送風したい範囲を直感的に分かりやすく指定することができる。また、前記基部に、前記指定手段によって指定された範囲を表示する表示手段が、前記指定手段の全周に沿って設けられることで、送風範囲をより分かりやすく指定することができる。
【００２５】
また、本発明の請求項２に記載の送風装置は、以上のように構成することにより、送風部の可動範囲内において、送風したい範囲を直感的に分かりやすく指定することができる。また、前記基部に、前記指定手段によって指定された範囲を表示する表示手段が、前記指定手段の全周に沿って設けられることで、送風範囲をより分かりやすく指定することができる。
【００２６】
なお、前記指定手段が、前記送風部の回転中心又は回動中心と同心状に配列されることで、指定範囲と送風範囲が一致するので、送風したい範囲をより分かりやすく指定することができるばかりでなく、送風装置のどの方向からでも、前記送風部の移動範囲を指定することができる。
【００２７】
また、前記指定手段が、前記基部の上面に設けられることで、送風範囲をより分かりやすく指定することができる。
【００２８】
また、前記送風部の移動速度が、指定範囲よりも非指定範囲で高速となるように制御されることで、複数範囲を指定しても、指定範囲間の非指定範囲において送風部を速やかに移動させ、指定された範囲に重点的に送風することができる。
【００２９】
また、本発明の請求項６に記載の送風装置は、以上のように構成することにより、送風装置のどの方向からでも、電源スイッチを操作することができる。また、前記電源スイッチの全周に沿って設けられた表示手段が、前記電源の状態を表示する。
【００３０】
また、本発明の請求項７に記載の送風装置は、以上のように構成することにより、送風装置のどの方向からでも、電源スイッチを操作することができる。また、前記電源スイッチの全周に沿って設けられた表示手段が、前記電源の状態を表示する。
【００３１】
また、本発明の請求項８に記載の送風装置は、以上のように構成することにより、送風装置のどの方向からでも、風量を調節することができる。また、前記調節手段の全周に沿って設けられた表示手段が、前記風量の状態を表示する。
【００３２】
また、本発明の請求項９に記載の送風装置は、以上のように構成することにより、送風装置のどの方向からでも、風量を調節することができる。また、前記調節手段の全周に沿って設けられた表示手段が、前記風量の状態を表示する。
【００３３】
また、本発明の請求項１０に記載の送風装置は、以上のように構成することにより、送風装置のどの方向からでも、遠隔操作をすることができる。
【００３４】
また、本発明の請求項１１に記載の送風装置は、以上のように構成することにより、送風装置のどの方向からでも、遠隔操作をすることができる。
【００３５】
また、前記指定手段、電源スイッチ及び調節手段がそれぞれ環状に構成されると共に、これらが前記送風部を中心として同心状に配置されることで、送風装置のどの方向からでも、全く同様の操作を行うことができる。
【００３６】
また、前記指定手段、電源スイッチ及び調節手段がそれぞれ環状に構成されると共に、これらが前記支柱部を中心として同心状に配置されることで、送風装置のどの方向からでも、全く同様の操作を行うことができる。
【００３７】
また、前記受光部、指定手段、電源スイッチ及び調節手段がそれぞれ環状に構成されると共に、これらが前記送風部を中心として同心状に配置されることで、送風装置のどの方向からでも、全く同様の直接操作及び遠隔操作を行うことができる。
【００３８】
更に、前記受光部、指定手段、電源スイッチ及び調節手段がそれぞれ環状に構成されると共に、これらが前記支柱部を中心として同心状に配置されることで、送風装置のどの方向からでも、全く同様の直接操作及び遠隔操作を行うことができる。
【図面の簡単な説明】
【００３９】
【図１】本発明の一実施形態を示す送風装置の正面図である。
【図２】同、右側面図である。
【図３】同、平面図である。
【図４】同、基部の平面図である。
【図５】同、別な例を示す基部の斜視図である。
【図６】同、電気的構成を示すブロック図である。
【図７】同、扇風機本体の基本操作を説明する図である。
【図８】同、送風部の位置指示で１ストロークの概念を説明する図である。
【図９】同、送風部の首振り回転方向と位置指示範囲の関係を説明する図である。
【図１０】同、送風部の首振り動きが往復する場合に、送風部の首振り速度のパターンを説明する図である。
【図１１】同、送風部の首振り動きが全方位である場合に、送風部の首振り速度のパターンを説明する図である。
【発明を実施するための形態】
【００４０】
以下、本発明の実施形態について、図１乃至図１１に基づいて説明する。なお、以下に説明する実施形態は、特許請求の範囲に記載された本発明の内容を限定するものではない。また、以下に説明される構成の全てが、本発明の必須要件であるとは限らない。
【００４１】
先ず、送風装置となる扇風機の全体構成を図１乃至図４に基づき説明する。１は送風機能を有する扇風機本体である。そして、この扇風機本体１と後述するリモコン２（図６を参照）とにより、本実施形態の扇風機が構成される。送風装置の本体となる扇風機本体１は、床（図示せず）に載置される基部４と、この基部４の中央部から上方に向かって直立して設けられる支柱５と、この支柱５の上端部に設けられる送風部６と、基部４に対して支柱５を一方向に回転又は双方向に回動させるための駆動力を与える移動機構７とを備えて構成される。本実施形態では、扇風機本体１に対して支柱部となる支柱５のうち、上支柱５Ａを着脱することで、送風部６の高さを２段階に調節する構成となっているが、支柱５を、上下動自在なスライドパイプ（図示せず）を設けた支柱部とし、そのスライドパイプの上端部に送風部６を設けることで、支柱５を着脱せずに送風部６の高さを調節できるようにしてもよい。また、送風部６は支柱５の上端部に取付け固定されており、基部４に対して支柱５と共に送風部６が水平方向に相対的に回転又は回動可能に設けられる。このときの支柱５及び送風部６の回転中心又は回動中心Ｃは、基部４の中心に一致する。
【００４２】
送風部６は、送風用モータ１１（図６を参照）をケース１２に収納してなるモータ部１３と、ケース１２の前側から突出する送風用モータ１１の軸（図示せず）に装着される羽根１４と、モータ部１３の前面に着脱可能に装着され、羽根１４を囲繞するガード１５とにより構成される。ガード１５は全体で多数の開口を有しており、送風用モータ１１を駆動源として羽根１４が回転することにより、ガード１５に妨げられることなく、送風部６の前方から送風を行うことができる。
【００４３】
移動機構７は、基部４の内部に設けられており、例えば駆動源となる移動用モータ１６（図６を参照）と、図示しない減速機構とを組み合わせて構成される。これにより、本実施形態では、移動用モータ１６を通電動作させたときに、この移動用モータ１６からの駆動力が減速機構を介して支柱５の根元部に伝達され、基部４に対して支柱５、ひいては送風部６を３６０°回転又は回動できる構成となっている。
【００４４】
基部４は平面視で短円筒状又は円板状をなし、その上面には支柱５の下端部を取り囲むように、リモコン２からの無線信号を受ける円環状の受光部２１が設けられる。この受光部２１は、扇風機本体１のどの方向からもリモコン２からの無線操作信号を良好に受光できるように、例えば基部４の水平上面の一部をなす円環状の透光窓２２と、この透光窓２２の内側に一定の間隔で配置される複数の受光センサ２３（図６を参照）とにより構成される。本実施形態では、支柱５の外側全周を囲んで環状の受光部２１が設けているが、扇風機本体１のどの方向からもリモコン２からの無線操作信号を受光できるのであれば、支柱５の外側の一部を囲む弧状の受光部２１としてもよい。このような構成により、扇風機本体１のどの方向からも、リモコン２を用いて遠隔操作することができる。
【００４５】
基部４の上面には、受光部２１の外側に位置して、支柱５の下端部を取り囲むように、円環状の第１タッチセンサ２５と第２タッチセンサ２６が、支柱５及び送風部６の回転中心又は回動中心Ｃを基準として、同心状に二重に設けられる。第１タッチセンサ２５は、扇風機本体１への電源のオン・オフを切換える電源スイッチと、電源オン時に送風部６からの送風量を調節する調節手段とを兼用するもので、この第１タッチセンサ２５の内側近傍全周に沿って、複数のＬＥＤ２７を一定の間隔に配置した円環状の第１表示部２８が設けられる。なお、図５に示すように、第１タッチセンサ２５を透明とし、この第１タッチセンサ２５の下に複数のＬＥＤ２７を配置して第１表示部２８としても良い。また、第２タッチセンサ２６は、送風部６が送風する方向の範囲を指定する指定手段に相当するもの
で、この第２タッチセンサ２６の内側近傍全周に沿って、複数のＬＥＤ２９を一定の間隔に配置した円環状の第２表示部３０が設けられる。なお、第１タッチセンサ２５及び第１表示部２８と同様に、図５に示すように、第２タッチセンサ２６を透明とし、この第２タッチセンサ２６の下に複数のＬＥＤ２９を配置して第２表示部３０としても良い。内側の第１表示部２８は、扇風機本体１の電源と風量の状態を表示する電源・風量表示手段に相当し、外側の第２表示部３０は、第２タッチセンサ２６によって指示された送風方向の位置範囲を表示する位置指示表示手段に相当するものである。
【００４６】
第１タッチセンサ２５と第２タッチセンサ２６は、何れも感圧式のタッチセンサで、どの位置に指が触れられたのかを、センサ信号として出力する構成を有する。本実施形態の第１タッチセンサ２５は、支柱５の外側全周を囲んで円環状に設けられているが、支柱５の外側の一部を囲んで円弧状に設けてもよい。同様に第２タッチセンサ２６も、支柱５の外側全周を囲んで円環状に設けられているが、送風部６の最大可動範囲に合せるように、支柱５の外側の一部を囲んで円弧状に設けてもよい。本実施形態では、環状の受光部２１だけでなく、第１タッチセンサ２５や第２タッチセンサ２６も、支柱５の回転中心又は回動中心Ｃと同心状に配列される。
【００４７】
なお本実施形態では、基部４に直立した支柱５の上端部に送風部６を設けた構成となっているが、例えばサーキュレータのように、基部４の上方に送風部６を直接回転又は回動可能に設けた構成としてもよい。この場合、前述の受光部２１や、第１タッチセンサ２５や、第２タッチセンサ２６は、送風部６の下端部を囲んで、好ましくは送風部６の回転中心又は回動中心と同心状に配列される。また、電源スイッチと調節手段とを第１タッチセンサ２５として兼用させず、それぞれ別々な円環状又は円弧状のタッチセンサを設けてもよい。こうしたタッチセンサは、本実施形態のような、接触面を指で触れたときの押圧力に反応する感圧式の他に、接触面を指で触れたときの静電容量の変化に反応する静電容量式を採用することもできる。
【００４８】
また、変形例として、図５に示すように、二重の第１表示部２８や第２表示部３０の他に、電源表示部３１を基部４の上面に備えてもよい。この電源表示部３１は、電源のオン・オフを表示するものであり、電源オンで点灯、電源オフで消灯する。
【００４９】
次に、本実施形態における送風装置の電気的構成を、図６に基づいて説明する。４１は基部４の内部に搭載された制御部であり、これは、例えばマイクロコンピュータや入出力インターフェース等を備えて構成される。制御部４１の入力側には、受光センサ２３や、第１タッチセンサ２５や、第２タッチセンサ２６が電気的に接続される。また、制御部４１の出力側には、送風用モータ１１や、移動用モータ１６や、第１表示部２８を構成する各ＬＥＤ２７や、第２表示部３０を構成する各ＬＥＤ２９が電気的に接続される。制御部４１は、各種プログラムやデータを記憶する記憶部４２を備えており、この記憶部４２から読み出したプログラムを実行することで、制御部４１を特に扇風機本体１の送風制御部４３と、移動制御部４４と、表示制御部４５として機能させる構成となっている。
【００５０】
リモコン２は、扇風機本体１とは別体で設けられ、複数の押し釦式スイッチからなる操作部４８と、この操作部４８の押動操作に伴う無線操作信号（例えば赤外線）を発信する発光部４９とを主な構成要素としている。扇風機本体１に設けた受光センサ２３は、リモコン２からの操作信号を受信すると、これを光電変換して制御部４１に送出する。
【００５１】
送風制御部４３は、受光センサ２３からの操作信号や、第１タッチセンサ２５からのセンサ信号を受けて、送風用モータ１１を通電制御するものである。送風用モータ１１は、送風制御部４３からのモータ制御信号に応じて、所定の回転数で羽根１４を回転させる。特に、本実施形態では、羽根１４の回転数、ひいては送風部６からの風量を、送風制御部４３からのモータ制御信号に応じて１０段階に切換えることができる。
【００５２】
移動制御部４４は、受光センサ２３からの操作信号や、第２タッチセンサ２６からのセンサ信号を受けて、移動用モータ１６を通電制御するものである。移動用モータ１６は、移動制御部４４からのモータ制御信号に応じて、所定の首振り速度と首振り範囲で、支柱５、ひいては送風部６を回転又は回動させる。特に、本実施形態では、移動制御部４４からのモータ制御信号に応じて、送風部６の首振り範囲に関して、送風部６を一定方向に回転させる全方位首振りや、送風部６を所定の範囲内で往復して回動させる往復首振りを行わせたり、送風部６の速度に関して、送風部６を終始低速で首振り動作させる低速モードや、送風部６を低速と高速の２段階に切換えながら首振り動作させる変速モードを行わせたりする機能を有する。
【００５３】
表示制御部４５は、受光センサ２３からの操作信号や、第１タッチセンサ２５からのセンサ信号や、第２タッチセンサ２６からのセンサ信号などを受けて、第１表示部２８や第２表示部３０の表示形態を制御するものである。特に本実施形態では、受光センサ２３や、第１タッチセンサ２５や、第２タッチセンサ２６の操作に連携して、全体で円環状に配置された複数のＬＥＤ２７，２９の点灯や消灯を個別に制御するだけでなく、点灯時の発光量を段階的（例えば５段階）に制御する構成となっている。
【００５４】
また、制御部４１は、扇風機本体１の電源をオンにした運転中はもとより、扇風機本体１の電源をオフにした運転停止後も、送風部６からの送風量や、送風部６の首振り範囲や首振り速度などの設定状態を、記憶部４２に設定データとして記憶保持させる機能を有する。こうした風量や首振りに関する各設定データは、扇風機本体１の運転中に、受光センサ２３からの操作信号や、第１タッチセンサ２５からのセンサ信号や、第２タッチセンサ２６からのセンサ信号を受けて任意に変更できる。また、扇風機本体１の運転を再開した場合には、記憶部４２に記憶した設定データが読み出され、これにより運転停止直前と同じ状態で、送風部６の送風用モータ１１や移動機構７の移動用モータ１６の動作を再開させることが可能になる。
【００５５】
次に上記構成の送風装置について、扇風機本体１の基本的な操作の手順を、図７に基づき説明する。基部４と電気的に接続する電源プラグ（図示せず）をコンセントに差し込んだ通電直後は、送風部６や移動機構７の動作を停止した電源オフとなる。この状態では、図７（Ａ）に示すように、表示制御部４５からの制御に基づいて、外側の第２表示部３０は点灯せず、内側の第１表示部２８は全てのＬＥＤ２７が同じタイミングで消灯→暗く点灯→消灯を繰り返して、リング状にゆっくりと点滅する。この状態で、第１タッチセンサ２５の任意の地点Ｘ１を指でタッチすると、これを第１タッチセンサ２５が感知して、制御部４１にセンサ信号を出力し、扇風機本体１は電源オフから電源オンに切換わる。なお、電源をオンにするためにタッチする箇所は、第１タッチセンサ２５上であれば任意である。即ち、扇風機本体１のどの方向からでも、同じように電源をオンにできる。
【００５６】
電源オンに移行すると、送風制御部４１は記憶部４２から風量に関する設定データを読み出し、設定した風量で送風部６からの送風が行われるように、送風用モータ１１の動作を制御する。また、移動制御部４４は、記憶部４２から首振りに関する設定データを読み出し、設定した首振り範囲や首振り速度で送風部６が水平方向に移動するように、移動用モータ１６の動作を制御し、扇風機本体１の運転を開始させる。
【００５７】
さらに、電源オンに移行すると、内側の第１表示部２８は、表示制御部４５からの制御に基づいて、送風部６からの風量に応じた光量で全てのＬＥＤ２７が点灯する。例えば、送風部６からの風量が弱い場合は、図７（Ｂ）に示すように、第１表示部２８は全てのＬＥＤ２７が暗く点灯し、リング状に薄く光る。この状態から第１タッチセンサ２５上に指を触れて、符号Ｙ１のように反時計回りにスワイプすると、送風制御部４３は、スワイプした角度に応じて送風部６の風量を増加させると共に、表示制御部４５は、風量が強くなるにつれて全てのＬＥＤ２７が明るくなるように、第１表示部２８の光量を増加させる。逆に、第１タッチセンサ２５上で、符号Ｙ２のように指を時計回りにスワイプすると、送風制御部４３は、スワイプした角度に応じて送風部６の風量を減少させると共に、表示制御部４５は、風量が弱くなるにつれて全てのＬＥＤ２７が暗くなるように、第１表示部２８の光量を減少させる。つまり、送風部６の風量は、スワイプの方向と角度で調節でき、第１表示部２８の明るさにより、送風部６の風量を表現できる（図７（Ｃ）を参照）。
【００５８】
本実施形態では、第１タッチセンサ２５を指で９０°スワイプすることで、送風部６からの風量を最大で１０段階に可変調節できる。このスワイプの角度は、第１タッチセンサ２５で感知され、１０°のスワイプを基本単位である１ピッチとして、送風部６からの風量が一段階ずつ切換わる。なお、左右９０°を超えるスワイプを第１タッチセンサ２５が検知しても、送風制御部４３は無視する。また、風量が上限（第１０段階）又は下限（第１段階）に達すると、左右９０°の範囲内であっても、それ以上のスワイプを第１タッチセンサ２５が検知しても、送風制御部４３は無視する。第１表示部２８の光量は、風量の二段階毎に、一段階変化する。なお、送風制御部４３による風量の調節は、段階的でなく連続的に可変するものでもよいし、どの程度のスワイプ角度で何段階に送風部６からの風量や第１表示部２８の光量を可変調節できるのかも任意である。また、風量を調節するためにスワイプを開始する始点は、第１タッチセンサ２５上であれば任意である。即ち、扇風機本体１のどの方向からでも、同じように風量を調節できる。
【００５９】
一方、外側の第２表示部３０は、送風部６の首振り動作に関する位置指示を発光表示するもので、電源オンに移行すると、表示制御部４５が、第２表示部３０のうち、送風部６の向きに相当する位置の一つのＬＥＤ２９Ａを点灯させる（図７（Ｂ）を参照）。この状態では、送風部６は首振りを行わず、ＬＥＤ２９Ａが点灯している方向に送風される。そして、第２タッチセンサ２６上に指を触れて送風したい方向を指示する。即ち、送風したい方向を符号Ｙ３のようにスワイプで決定すると、第２タッチセンサ２６が感知して、移動制御部４４はスワイプに応じた首振り設定で送風部６が首振り動作を行うように、移動用モータ１６の動作を制御する。また、表示制御部４５は、第２表示部３０を構成する全てのＬＥＤ２９の中で、スワイプした箇所に対応するＬＥＤ２９Ａを点灯させる。なお、最初に点灯していたＬＥＤ２９Ａに対応する位置を含むようにスワイプしなければ、最初に点灯していたＬＥＤ２９Ａは消灯する。例えば、図７（Ｄ）では、第２タッチセンサ２６上で３か所を断続的にスワイプすることで、それらのスワイプした箇所に対応して第２表示部３０のＬＥＤ２９Ａが点灯する。これにより、スワイプで指示をした送風したい方向が、第２表示部３０により一目で理解できる。なお、指定手段としての第２タッチセンサ２６が、支柱５の回転中心又は回動中心Ｃと同心状に配列されることで、指定範囲と送風範囲が一致するので、送風したい範囲をより分かりやすく指定することができるばかりでなく、扇風機本体１のどの方向からでも、同じように送風部６の移動範囲を指定することができる。また、第２タッチセンサ２６が、基部４の上面に設けられることで、送風範囲をより分かりやすく指定することができる。
【００６０】
また図７（Ｄ）に示すように、一度スワイプで方向指示をしたものをキャンセルする場合は、その箇所に対応して点灯表示されるＬＥＤ２９Ａに対応する第２タッチセンサ２６上の任意の地点Ｘ２を、指で長くタッチする（例えば２秒長押し）。そして、キャンセルされた部分のＬＥＤ２９Ａは、消灯する。これにより、図７（Ｅ）に示すように、移動制御部４４は残りの指定範囲に応じた首振り設定で送風部６が首振り動作を行うように、移動用モータ１６の動作を制御する。
【００６１】
この後、第１タッチセンサ２５上の任意の地点Ｘ３を、指で長くタッチ（例えば２秒長押し）すれば、図７（Ｆ）に示すような前述の電源オフ状態に移行する。なお、電源をオフにするためにタッチする箇所は、第１タッチセンサ２５上であれば任意である。即ち、扇風機本体１のどの方向からでも、同じように電源をオフにできる。
【００６２】
次に、前述した送風部６の首振り動作に関連する位置指示について、より詳しく説明する。本実施形態では、電源オンの時に第２タッチセンサ２６上を指でスワイプすると、指でなぞった１ストロークの間隔を１箇所として、送風部６を所定の速度で移動させる位置範囲が指示され、移動制御部４４による首振り設定で送風部６が首振り動作される。図８に示すように、ここでいうストロークＳとは、指で最初に触れた始点Ｘ４と、そこから指でなぞって離す終点Ｘ５までの範囲をいう。第２タッチセンサ２６上で、送風部６の位置範囲を指示するストロークＳは、複数個所の指示が可能である。
【００６３】
図９は、首振りの回転方向と位置指示範囲の関係を示したものである。本実施形態では、最初に第２タッチセンサ２６上でスワイプした指の方向に沿って、送風部６の首振りが開始する。例えば図９（Ａ）では、最初に始点Ｘ６から反時計方向Ｒ１に指をスワイプさせると、移動制御部４４はその後のスワイプした方向に拘らず、始点Ｘ６に対応した位置から反時計方向Ｒ１に、支柱５と共に送風部６の首振りを開始させる。
【００６４】
また、移動制御部４４は、第２タッチセンサ２６上でスワイプした位置指示の範囲に応じて、送風部６の首振り動作を双方向若しくは一方向の何れにするのかを決定する。例えば、図９（Ｂ）では、第２タッチセンサ２６上でストロークＳ１，Ｓ２のスワイプによって送風範囲が指示され、それに対応して第２表示部３０も２箇所でＬＥＤ２９Ａが点灯するが、送風部６の回転中心又は回動中心Ｃから見て、位置指示していない最大の範囲は所定角度である１８０°以上である。この場合、送風部６は図９（Ｃ）に示すような往復の首振り動作Ｍ１となり、移動制御部４４はストロークＳ１，Ｓ２のスワイプで位置指示した間を送風部６が往復回動するように、移動用モータ１６の動作を制御する。
【００６５】
一方、図９（Ｄ）では、第２タッチセンサ２６上でストロークＳ１，Ｓ２，Ｓ３のスワイプによって送風範囲が指示されており、送風部６の回転中心又は回動中心Ｃから見て、位置指示していない最大の範囲が１８０°未満となっている。この場合、送風部６は図９（Ｅ）に示すような全方位の首振り動作Ｍ２となり、移動制御部４４は送風部６が往復せずに一定方向に回転するように、移動用モータ１６の動作を制御する。
【００６６】
次に、図１０及び図１１に基づいて、送風部６の首振り速度のパターンについて説明する。先ず、図１０（Ａ）に示すように、送風部６が前述した往復の首振り動作Ｍ１をする場合、例えばストロークＳ１，Ｓ２のスワイプで位置指示をした箇所で、送風部６が低速に移動し、それ以外の位置指示をしていない箇所で、送風部６が高速に移動するように、移動制御部４４が移動用モータ１６の動作を制御する。これは、指示した箇所に重点的に送風し、それ以外の箇所をスキップさせるためである。これにより、支柱５及び送風部６は、低速と高速（スキップ）の２パターンの変速モードで往復首振り動作される。なお、スキップ位置では積極的に送風したい訳ではないので、送風部６がスキップ位置にある場合、送風制御部４３は送風部６を制御して風量が弱くなるようにするか、又は送風部６を停止させても良い。この２パターンの変速をやめたい場合、即ち、途中でスキップさせずに首振り範囲全体を低速で首振りさせたい場合は、位置指示されている箇所に挟まれた、位置指示がされていない箇所に対応する第２タッチセンサ２６の部分全体をスワイプして指示すれば、図１０（Ｂ）に示すように、送風部６が終始低速で移動するようになる。この際、第２表示部３０は、往復の首振り動作Ｍ１の全範囲でＬＥＤ２９Ａが点灯する。
【００６７】
また、図１１（Ａ）に示すように、送風部６が前述した全周首振り動作Ｍ２をする場合も、例えばストロークＳ１，Ｓ２，Ｓ３のスワイプで位置指示をした箇所で、送風部６が低速に移動し、それ以外の位置指示をしていない箇所で、送風部６が高速で移動（スキップ）するように、移動制御部４４が移動用モータ１６の動作を制御する。これにより、支柱５及び送風部６は、低速と高速（スキップ）の２パターンの変速モードで一定方向に全周首振り動作される。なお、スキップ位置では積極的に送風したい訳ではないので、送風部６がスキップ位置にある場合、送風制御部４３は送風部６を制御して風量が弱くなるようにするか、又は送風部６を停止させても良い。そして変速をやめたい場合、即ち、途中でスキップさせずに全周を低速で首振りさせたい場合は、全ての位置指示をしていない箇所に対応する第２タッチセンサ２６の部分全体をスワイプして指示すれば、図１１（Ｂ）に示すように、送風部６が終始低速で移動するようになる。この際、第２表示部３０は、全方位の首振り動作Ｍ２の全範囲でＬＥＤ２９Ａが点灯する。
【００６８】
本実施形態では、４８個のＬＥＤ２９が所定角度である７．５°刻みに等間隔に配置されることで、第２表示部３０が構成される。電源オンで扇風機本体１が動作しているときに、表示制御部４５は、送風部６が首振り動作しているか否かに拘らず、位置指示表示となるＬＥＤ２９Ａを少なくとも一つ点灯させる。送風部６が首振り動作をしているときに、第２表示部３０がどのように表示されるのかについては前述した通りであるが、送風部６が首振り動作をしていない場合は、図７（Ｂ）に示すように、表示制御部４５は１個のすなわち１セグだけのＬＥＤ２９Ａを点灯させ、他は消灯させる。これに対して、送風部６が首振り動作する場合は、少なくとも２個すなわち２セグ以上のＬＥＤ２９Ａを点灯させることで、首振り動作の有無を直感的に視認できるようにしている。送風部６を首振りさせないためには、第２タッチセンサ２６をスワイプせず、第２タッチセンサ２６の任意の位置をタッチすればよい。この場合、移動制御部４４により移動モータ１６の動作が開始して、送風部６をタッチにより指定された位置まで移動させるが、その後、移動モータ１６が停止し、送風部６は指定された位置での送風を続ける。逆に、第２タッチセンサ２６上をスワイプする範囲が、所定角度（例えば１５°）以上になれば、移動制御部４４により移動モータ１６の動作が開始して、送風部６の首振り動作が行われる。
【００６９】
なお、送風部６が低速で首振りをしている際に、指示範囲に対応する第２タッチセンサ２６の部分を長押しして指示範囲をキャンセルすると、移動制御部４４は送風部６を最寄りの指示範囲まで高速で移動（スキップ）させる。仮に、全ての指示範囲に対応する第２タッチセンサ２６の部分を長押しして指示範囲を全てキャンセルすると、移動制御部４４は送風部６の首振りを停止し、表示制御部４５は、この時点で送風部６が向いている方向に対応するＬＥＤ２９Ａを点灯させる。
【００７０】
こうした第１タッチセンサ２５や第２タッチセンサ２６による扇風機本体１側の操作とは別に、本実施形態では、扇風機本体１とは別体に設けられたリモコン２の操作部４８を操作して、リモコン２からの無線操作信号が扇風機本体１の受光部２１に受信されると、例えば扇風機本体１に対する電源のオン・オフの切換えや、送風部６の風量調節が行われる。この場合、支柱５の下端部を囲んで基部４の上面に設けられる受光部２１は、リモコン２の無線操作信号をどの方向からも受信することができる。従って、リモコン２を用いた遠隔操作も、扇風機本体１のどの方向からでも同様に行うことができる。
【００７１】
このように、扇風機本体１の直接操作は、この扇風機本体１のどの方向からでも同様に行うことができる。即ち、電源表示部３１が設けられた側が便宜上「前」といえるが、実質的に前後左右の区別をする必要がなく、それらを気にする必要もない。また、直接操作のみならず、リモコン２を用いた遠隔操作も、扇風機本体１のどの方向からでも同様に行うことができる、即ち、遠隔操作の観点からも、実質的に前後左右の区別をする必要がなく、それらを気にする必要もない。
【００７２】
以上のように本実施形態の送風装置は、床に支持される基部４と、この基部４の上方に設けられる支柱部となる支柱５と、この支柱５の上端部に設けられる送風部６と、この送風部６を基部４に対して水平方向に相対的に回転又は回動させる移動機構７とを有する扇風機において、基部４に、支柱５の下端部を囲むように、送風部６の送風方向範囲を指定する指定手段としての第２タッチセンサ２６が環状又は弧状に設けられている。
【００７３】
この場合、基部４に対して送風部６が回転又は回動するのに対応して、第２タッチセンサ２６も基部４に設けた支柱５を囲んで環状又は弧状に配置されるので、送風部６の可動範囲内において、送風したい範囲を第２タッチセンサ２６で直感的に分かりやすく指定することができる。
【００７４】
また、支柱５の代わりに、基部４の上方に送風部６を設けたサーキュレータのような送風装置でも、基部４に、送風部６の下端部を囲むように、送風部６の送風方向範囲を指定する第２タッチセンサ２６を環状又は弧状に設けることで、基部４に対して送風部６が回転又は回動するのに対応して、第２タッチセンサ２６も基部４に設けた送風部６を囲んで環状又は弧状に配置されるので、送風部６の可動範囲内において、送風したい範囲を第２タッチセンサ２６で直感的に分かりやすく指定することができる。
【００７５】
上記何れの構成においても、指定手段となる第２タッチセンサ２６は、送風部６の回転中心又は回動中心Ｃと同心状に配列するのが好ましい。
【００７６】
つまり、第２タッチセンサ２６が、送風部６の回転中心又は回動中心Ｃと同心状に配列されることで、送風部６の移動する範囲を指定する指定範囲と、その指定範囲に基づく実際の送風部６の送風範囲が一致するので、第２タッチセンサ２６で送風したい範囲をより分かりやすく指定することができるばかりでなく、送風装置となる扇風機本体１のどの方向からでも、送風部６の移動範囲を指定することができる。
【００７７】
また、指定手段となる第２タッチセンサ２６は、特に基部４の略水平な上面に設けられる。
【００７８】
つまり、第２タッチセンサ２６が基部４の特に上面に設けられることで、基部４の上面側から第２タッチセンサ２６に向けて、送風したい範囲をより分かりやすく指定することができる。
【００７９】
また、本実施形態では、基部４に、第２タッチセンサ２６によって指定された範囲を表示する表示手段として、複数のＬＥＤ２９からなる第２表示部３０が、第２タッチセンサ２６の全周に沿って設けられている。
【００８０】
この場合、第２タッチセンサ２６によって指定された範囲を表示する第２表示部３０が、第２タッチセンサ２６の全周に沿って設けられることで、第２表示部３０の表示を目視で確認しながら、送風部６の送風したい範囲をより分かりやすく指定することができる。
【００８１】
また、本実施形態では、送風部６の移動速度が、第２タッチセンサ２６で指定した指定範囲よりも、第２タッチセンサ２６で指定していない非指定範囲で高速となるように、移動制御部４４が送風部６の回転又は回動動作を制御している。
【００８２】
この場合、送風部６の移動速度が、指定範囲よりも非指定範囲で高速となるように移動制御部４４で制御されることで、第２タッチセンサ２６で複数の範囲を指定しても、その指定した範囲の間の非指定範囲において送風部６を速やかに移動（即ちスキップ）させ、指定された範囲に重点的に送風することができる。
【００８３】
本実施形態の送風装置は、基部４と、基部４の上方に設けられる支柱５と、支柱５の上端部に設けられる送風部６とを有する扇風機において、基部４に、支柱５の下端部を囲むように、送風装置となる扇風機本体１への電源のオン・オフを切換える電源スイッチとして、第１タッチセンサ２５が環状又は弧状に設けられ、基部４に、電源の状態を表示する表示手段として、複数のＬＥＤ２７からなる第１表示部２８が、第１タッチセンサ２５の全周に沿って設けられている。
【００８４】
この場合、支柱５の下端部を囲むように、電源スイッチとなる第１タッチセンサ２５を基部４に環状又は弧状に設けることで、送風装置となる扇風機本体１のどの方向からでも、第１タッチセンサ２５を操作して電源のオン・オフを切り替えることができる。また、第１タッチセンサ２５の全周に沿って設けられた第１表示部２８が、電源の状態を表示する。
【００８５】
また、支柱５の代わりに、基部４の上方に送風部６を設けたサーキュレータのような送風装置でも、基部４に、送風部６の下端部を囲むように、電源スイッチとなる第１タッチセンサ２５を環状又は弧状に設けることで、扇風機本体１のどの方向からでも、第１タッチセンサ２５を操作することが可能になる。
【００８６】
本実施形態の送風装置は、基部４と、基部４の上方に設けられる支柱５と、支柱５の上端部に設けられる送風部６とを有する扇風機において、基部４に、支柱５の下端部を囲むように、送風部６からの風量を調節する調節手段として、第１タッチセンサ２５が環状又は弧状に設けられ、基部４に、風量の状態を表示する表示手段として、複数のＬＥＤ２７からなる第１表示部２８が、第１タッチセンサ２５の全周に沿って設けられている。
【００８７】
この場合、支柱５の下端部を囲むように、調節手段となる第１タッチセンサ２５を基部４に環状又は弧状に設けることで、送風装置となる扇風機本体１のどの方向からでも、調節手段に相当する第１タッチセンサ２５を操作することができる。また、第１タッチセンサ２５の全周に沿って設けられた第１表示部２８が、風量の状態を表示する。
【００８８】
また、支柱５の代わりに、基部４の上方に送風部６を設けたサーキュレータのような送風装置でも、基部４に、送風部６の下端部を囲むように、調節手段となる第１タッチセンサ２５を環状又は弧状に設けることで、扇風機本体１のどの方向からでも、第１タッチセンサ２５を操作することが可能になる。
【００８９】
本実施形態の送風装置は、基部４と、基部４の上方に設けられる支柱５と、支柱５の上端部に設けられる送風部６とを備えた本体となる扇風機本体１の他に、無線式の遠隔操作手段となるリモコン２を有する扇風機において、基部４に、支柱５の下端部を囲むように、リモコン２のための受光部２１が環状又は弧状に設けられている。
【００９０】
この場合、支柱５の下端部を囲むように、リモコン２からの無線操作信号を受ける受光部２１を基部４に環状又は弧状に設けることで、送風装置となる扇風機本体１のどの方向からでも、リモコン２を利用した扇風機本体１への遠隔操作を行うことができる。
【００９１】
また、支柱５の代わりに、基部４の上方に送風部６を設けたサーキュレータのような送風装置でも、基部４に、送風部６の下端部を囲むように、リモコン２のための受光部２１を環状又は弧状に設けることで、扇風機本体１のどの方向からでも、リモコン２を利用した扇風機本体１への遠隔操作を行うことが可能になる。
【００９２】
本実施形態では、指定手段となる第２タッチセンサ２６と、電源スイッチ及び調節手段となる第１タッチセンサ２５が、それぞれ環状に構成されると共に、これらが支柱５を中心として同心状に配置される。
【００９３】
これにより、送風装置の本体となる扇風機本体１のどの方向からでも、第１タッチセンサ２５や第２タッチセンサ２６に対して、全く同様の操作を行うことができる。
【００９４】
また、サーキュレータのような送風装置では、支柱５の代わりに送風部６を中心として、指定手段となる第２タッチセンサ２６や、電源スイッチ及び調節手段となる第１タッチセンサ２５を同心状に配置すればよく、この場合も、送風装置のどの方向からでも、第１タッチセンサ２５や第２タッチセンサ２６に対して、全く同様の操作を行うことができる。
【００９５】
さらに、本実施形態では、指定手段となる第２タッチセンサ２６と、電源スイッチ及び調節手段となる第１タッチセンサ２５に加えて、受光部２１も環状に構成され、これらが支柱５を中心として同心状に配置される。
【００９６】
これにより、送風装置の本体となる扇風機本体１のどの方向からでも、受光部２１や第１タッチセンサ２５や第２タッチセンサ２６に対して、全く同様の直接操作及び遠隔操作を行うことができる。
【００９７】
また、サーキュレータのような送風装置では、支柱５の代わりに送風部６を中心として、受光部２１や、指定手段となる第２タッチセンサ２６や、電源スイッチ及び調節手段となる第１タッチセンサ２５を同心状に配置すればよく、この場合も、送風装置のどの方向からでも、受光部２１や第１タッチセンサ２５や第２タッチセンサ２６に対して、全く同様の操作を行うことができる。
【００９８】
なお、本発明は以上の実施形態に限定されるものではなく、発明の要旨の範囲内で種々の変形実施が可能である。例えば、上記実施形態では、第１タッチセンサ２５の外側に第２タッチセンサ２６を設けているが、第２タッチセンサ２６の外側に第１タッチセンサ２５を設ける構成としてもよい。また、電源スイッチに相当するタッチセンサと、調節手段に相当するタッチセンサとを、別々の部材で構成しても構わない。
【符号の説明】
【００９９】
１  扇風機本体（送風装置の本体）
２  リモコン（遠隔操作手段）
４  基部
５  支柱（支柱部）
６  送風部
２１  受光部
２５  第１タッチセンサ（電源スイッチ、調節手段）
２６  第２タッチセンサ（指定手段）
２８  第１表示部（表示手段）
３０  第２表示部（表示手段）
【図１】
0006687396.tif 000002
【図２】
0006687396.tif 000003
【図３】
0006687396.tif 000004
【図４】
0006687396.tif 000005
【図５】
0006687396.tif 000006
【図６】
0006687396.tif 000007
【図７】
0006687396.tif 000008
【図８】
0006687396.tif 000009
【図９】
0006687396.tif 000010
【図１０】
0006687396.tif 000011
【図１１】
0006687396.tif 000012